【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
モバイルデバイスによって、非セルラーページングサーバについての登録情報をセルラーネットワークを介して受信するステップと
前記モバイルデバイスによって、前記モバイルデバイスが非セルラー無線アクセス技術(RAT)を介して前記非セルラーページングサーバからページングメッセージを受信可能であると決定するステップと、
前記モバイルデバイスによって、前記モバイルデバイスが前記非セルラーRATを介して前記ページングメッセージを受信可能であることの表示を含む登録メッセージを前記セルラーネットワークに送信するステップと、
前記登録メッセージを前記セルラーネットワークに送信するステップに少なくとも部分的に基づいて、前記モバイルデバイスのセルラー無線を非活性化するステップと、
ページングメッセージを前記非セルラーRATを介して前記非セルラーページングサーバから受信するステップと
を含む、方法。
【請求項２】
前記モバイルデバイスを前記非セルラーページングサーバに前記非セルラーRATを介して登録するステップをさらに含み、
前記モバイルデバイスが前記非セルラーRATを介して前記非セルラーページングサーバから前記ページングメッセージを受信可能であると決定するステップが、前記登録に少なくとも部分的に基づく、請求項1に記載の方法。
【請求項３】
前記非セルラーページングサーバからの前記ページングメッセージが、前記セルラーネットワークのセルラーページングチャネルを監視することを求める、前記モバイルデバイスに対する要求を含む、請求項1に記載の方法。
【請求項４】
前記非セルラーページングサーバからの前記ページングメッセージが、前記セルラーネットワークのセルラー基地局の識別情報、または前記セルラーページングチャネルがブロードキャストされる対応するロケーションを含む、請求項3に記載の方法。
【請求項５】
前記非セルラーページングサーバについての前記登録情報が、前記非セルラーページングサーバのインターネットプロトコル(IP)アドレスまたはユニフォームリソースロケータ(URL)のうちの少なくとも1つを含む、請求項1に記載の方法。
【請求項６】
前記非活性化するステップが、前記セルラーネットワークとのセルラー接続を接続解放する際に前記セルラー無線を非活性化するステップを含む、請求項1に記載の方法。
【請求項７】
前記セルラーネットワークが前記セルラー無線を介してページングすることを控えることの表示を含むメッセージを前記セルラーネットワークから受信するステップをさらに含む、請求項1に記載の方法。
【請求項８】
更新メッセージを前記セルラーネットワークに送信するステップをさらに含み、前記更新メッセージが、前記モバイルデバイスが前記ページングメッセージを前記非セルラーRATを介して受信可能であることの確認を含む、請求項1に記載の方法。
【請求項９】
前記ページングメッセージを前記非セルラーRATを介して受信する能力の喪失、または喪失が差し迫っていることを検出するステップと、
前記モバイルデバイスが前記ページングメッセージを前記非セルラーRATを介して受信不可能であることの通知メッセージを前記セルラーネットワークに送信するステップとをさらに含む、請求項1に記載の方法。
【請求項１０】
前記モバイルデバイスが前記ページングメッセージを前記非セルラーRATを介して受信可能であるとの前記表示が、前記モバイルデバイスがページを受信し得るインターネットプロトコル(IP)アドレスまたはポート番号のうちの少なくとも1つを含む、請求項1に記載の方法。
【請求項１１】
前記登録メッセージが、モビリティ管理エンティティ(MME)に送信されたワイヤレスワイドエリアネットワーク(WWAN)登録メッセージを含む、請求項1に記載の方法。
【請求項１２】
ワイヤレス通信の方法であって、
セルラーネットワークのモビリティ管理エンティティ(MME)によって、登録情報を前記セルラーネットワークを介してモバイルデバイスに送信するステップと、
前記モバイルデバイスからの登録メッセージを前記セルラーネットワークの前記MMEにおいて受信するステップであって、前記登録メッセージが、前記モバイルデバイスがページングメッセージを非セルラー無線アクセス技術(RAT)を介して非セルラーページングサーバから受信可能であることの表示を含む、受信するステップと、
前記モバイルデバイスを前記MMEの前記セルラーネットワークに登録するステップと、
前記セルラーネットワークからの前記登録メッセージを受信するステップに少なくとも部分的に基づいて、前記モバイルデバイスのセルラー無線を非活性化するための応答メッセージを送信するステップと、
前記セルラーネットワークの前記MMEによって、ページング通知を前記非セルラーページングサーバに送信するステップと
を含む、方法。
【請求項１３】
前記モバイルデバイスが前記ページングメッセージを前記非セルラーRATを介して受信可能であることを前記モバイルデバイスが確認するよう要求するメッセージを、前記MMEから前記モバイルデバイスに送信するステップさらに含む、請求項12に記載の方法。
【請求項１４】
登録情報を非セルラーページングサーバから受信するステップをさらに含み、
前記登録情報が、前記非セルラーページングサーバのインターネットプロトコル(IP)アドレスまたはユニフォームリソースロケータ(URL)のうちの少なくとも1つを含む、請求項12に記載の方法。
【請求項１５】
前記登録メッセージが、前記モバイルデバイスのモビリティステータスの記述、または非セルラーRATカバレージに対する持続時間の予測のうちの少なくとも1つを含むモビリティ情報を含む、請求項12に記載の方法。
【請求項１６】
前記登録メッセージの前記モビリティ情報に少なくとも部分的に基づいて前記モバイルデバイスの登録を拒否するステップをさらに含む、請求項15に記載の方法。
【請求項１７】
共通のサーバが、前記MMEと前記非セルラーページングサーバの両方を含む、請求項12に記載の方法。
【請求項１８】
前記モバイルデバイスに対するダウンリンクデータ通知をパケットデータネットワーク(PDN)ゲートウェイ(PGW)またはサービングゲートウェイ(SGW)から受信するステップと、
前記モバイルデバイスに対するページング通知を前記非セルラーページングサーバに送信するステップとをさらに含む、請求項12に記載の方法。
【請求項１９】
ワイヤレス通信の方法であって、
モバイルデバイスによる使用のための登録情報をセルラーネットワーク内で非セルラーページングサーバからモビリティ管理エンティティ(MME)に送信するステップと、
前記セルラーネットワークの前記MMEからのページング通知を前記非セルラーページングサーバにおいて受信するステップと、
前記非セルラーページングサーバからのページングメッセージを非セルラー無線アクセス技術(RAT)を介して前記モバイルデバイスに送信するステップであって、前記ページングメッセージが、開始されるべき通信のタイプを示す、送信するステップとを含む、方法。
【請求項２０】
前記登録情報に少なくとも部分的に基づいて前記モバイルデバイスからの登録メッセージを前記非セルラーページングサーバにおいて受信するステップと、
前記モバイルデバイスを前記非セルラーページングサーバに登録するステップとをさらに含む、請求項19に記載の方法。
【請求項２１】
前記MMEをメッセージに対するターゲットとして識別する前記メッセージを、前記モバイルデバイスから受信するステップと、
前記メッセージを前記非セルラーページングサーバから前記MMEに転送するステップとをさらに含む、請求項20に記載の方法。
【請求項２２】
ワイヤレス通信のための装置であって、
プロセッサと、
前記プロセッサと電子通信しているメモリと、
前記メモリに記憶された命令とを含み、前記命令が、
非セルラーページングサーバについての登録情報をセルラーネットワークを介して受信することと、
モバイルデバイスが非セルラー無線アクセス技術(RAT)を介して前記非セルラーページングサーバから登録メッセージを受信可能であると決定することと、
前記モバイルデバイスが前記非セルラーRATを介してページングメッセージを受信可能であることの表示を含む登録メッセージを前記セルラーネットワークに送信することと、
前記登録メッセージを前記セルラーネットワークに送信することに少なくとも部分的に基づいて、前記モバイルデバイスのセルラー無線を非活性化することと、
ページングメッセージを前記非セルラーRATを介して前記非セルラーページングサーバから受信することと
を行うように前記プロセッサによって実行可能である、装置。
【請求項２３】
前記命令が、
前記モバイルデバイスを前記非セルラーページングサーバに登録すること
を行うように前記プロセッサによって実行可能であり、
前記モバイルデバイスが前記非セルラーRATを介して前記登録メッセージを受信可能であると決定する命令が、前記登録に少なくとも部分的に基づいて、前記モバイルデバイスが前記非セルラーRATを介して前記ページングメッセージを受信可能であると決定する命令を含む、請求項22に記載の装置。